(57)【要約】      （修正有）【課題】複数のサイズの瓶の梱包に利用できる瓶梱包用緩衝体及び梱包資材セットを提供する。【解決手段】瓶梱包用緩衝体２は、一枚のシートからなり、瓶の底が載置される方形の底板２２と、瓶の胴部に嵌合する胴孔２８及びこの胴穴２８の周縁から内向きに突出し、先端部が当接することで小径の瓶を位置決めでき、かつ折り曲げられることで大径の瓶の上記胴穴への挿入を許す３つ以上の調整突起２９を有する方形の中板２３と、瓶の頸部に嵌合する頸孔３０を有する方形の上板２４と、上記底板の側縁と上記中板の側縁とを接続する方形の第１接続板２５と、上記中板の側縁と上記上板の側縁とを接続する方形の第２接続板２６とを備える。上記上板が、上記頸孔から上記第２接続板と反対側に伸びるよう形成された縦切り込み３１と、上記縦切り込みの先端に交差するよう形成された横切り込み３２とを有するとよい。【選択図】図４
0003187833.tif 000002
【実用新案登録請求の範囲】
【請求項１】
一枚のシートからなり、
瓶の底が載置される方形の底板と、
瓶の胴部に嵌合する胴孔及びこの胴穴の周縁から内向きに突出し、先端部が当接することで小径の瓶を位置決めでき、かつ折り曲げられることで大径の瓶の上記胴穴への挿入を許す３つ以上の調整突起を有する方形の中板と、
瓶の頸部に嵌合する頸孔を有する方形の上板と、
上記底板の側縁と上記中板の側縁とを接続する方形の第１接続板と、
上記中板の側縁と上記上板の側縁とを接続する方形の第２接続板と
を備える瓶梱包用緩衝体。
【請求項２】
上記上板が、上記頸孔から上記第２接続板と反対側に伸びるよう形成された縦切り込みと、上記縦切り込みの先端に交差するよう形成された横切り込みとを有する請求項１に記載の瓶梱包用緩衝体。
【請求項３】
上記上板が、上記横切り込みの端部から上記頸孔に向かって伸びる弱化線を有する請求項１又は請求項２に記載の瓶梱包用緩衝体。
【請求項４】
上記上板の上記第２接続板と反対側の側縁から延伸する方形の押さえ板を備える請求項１、請求項２又は請求項３に記載の瓶梱包用緩衝体。
【請求項５】
段ボール箱と、この段ボール箱の内部に収容した請求項１から請求項４のいずれか１項に記載の瓶梱包用緩衝体とを備える梱包資材セット。
【考案の詳細な説明】
【技術分野】
【０００１】
本発明は、瓶梱包用緩衝体及び梱包資材セットに関する。
【背景技術】
【０００２】
飲料、酒類等の容器として用いられる一般的な瓶は、有底略円筒状の胴部と、この胴部の上端から縮径して上伸し、上端に注ぎ口が開口した頸部とを有する。このような瓶を箱に詰めて梱包する際には、箱の中で瓶を保持し、外部からの衝撃から瓶を保護する必要がある。このため、瓶を箱詰めする場合、一般には紙や発泡樹脂からなるシート状の梱包材で瓶の外周を覆い、さらに、箱の外壁と瓶との間に紙や発泡樹脂からなる緩衝材が詰め込まれる。
【０００３】
しかしながら、このような梱包は手間がかかるため、瓶を保持できるよう段ボールシート等を成形した瓶梱包用緩衝体を使用する場合もある。そのような瓶梱包用緩衝体として、瓶の底側から胴部に嵌合する孔を有する箱状の部材と、瓶の注ぎ口側から頸部に嵌合する孔を有する箱状の部材とを使用することが提案されている（特開２００２−８７４７５号公報参照）。
【０００４】
また、瓶の胴部に嵌合する孔及び頸部に嵌合する孔の両側から内向きに突設され、瓶によって折り曲げられることにより弾性力によって瓶を保持する一対の開孔片を設けた瓶梱包用緩衝体も提案されている（特開２００７−１３７５１７号公報参照）。
【０００５】
これらの瓶梱包用緩衝体は、瓶の胴部及び頸部の径に合わせた孔を設ける必要があり、異なる寸法の瓶の梱包には利用できない。通信販売を行う小売店等では、多種多様な瓶を梱包する必要があるが、瓶のサイズに合わせて多くの種類の瓶梱包用緩衝体を準備することは難しい。さらに、１つの箱に異なるサイズの瓶を梱包する場合もあり、複数のサイズの瓶を梱包できる瓶梱包用緩衝体が望まれている。
【先行技術文献】
【特許文献】
【０００６】
【特許文献１】特開２００２−８７４７５号公報
【特許文献２】特開２００７−１３７５１７号明細書
【考案の概要】
【考案が解決しようとする課題】
【０００７】
上記の事情に鑑みて、本考案は、複数のサイズの瓶の梱包に利用できる瓶梱包用緩衝体及び梱包資材セットを提供することを課題とする。
【課題を解決するための手段】
【０００８】
上記課題を解決するためになされた考案は、一枚のシートからなり、瓶の底が載置される方形の底板と、瓶の胴部に嵌合する胴孔及びこの胴穴の周縁から内向きに突出し、先端部が当接することで小径の瓶を位置決めでき、かつ折り曲げられることで大径の瓶の上記胴穴への挿入を許す３つ以上の調整突起を有する方形の中板と、瓶の頸部に嵌合する頸孔を有する方形の上板と、上記底板の側縁と上記中板の側縁とを接続する方形の第１接続板と、上記中板の側縁と上記上板の側縁とを接続する方形の第２接続板とを備える瓶梱包用緩衝体である。
【０００９】
当該瓶梱包用緩衝体では、調整突起が小径の瓶を胴孔の中央に位置決めできると共に、大径の瓶の胴孔への挿入も許容する。このため、当該瓶梱包用緩衝体は、異なる径の瓶を梱包するのに利用できる。
【００１０】
当該瓶梱包用緩衝体において、上記上板が、上記頸孔から上記第２接続板と反対側に伸びるよう形成された縦切り込みと、上記縦切り込みの先端に交差するよう形成された横切り込みとを有するとよい。瓶の胴部を中板の胴孔に挿入した後、第２接続板に対して上板を折り曲げるようにして頸孔に瓶の頸部を挿入する際、頸孔の一部、縦切り込み及び横切り込みにより確定される舌部が上方に跳ね上げられて頸孔を一時的に拡張する。これにより、瓶の頸部を頸孔に容易に嵌合させられる。
【００１１】
当該瓶梱包用緩衝体において、上記上板が、上記横切り込みの端部から上記頸孔に向かって伸びる弱化線を有するとよい。これにより、瓶の頸部を頸孔に容易に嵌合させることがさらに容易となる。
【００１２】
当該瓶梱包用緩衝体は、上記上板の上記第２接続板と反対側の側縁から延伸する方形の押さえ板を備えるとよい。これにより、当該瓶梱包用緩衝体を箱の内部に収容した際に、上板の浮き上がりを防止して、瓶の注ぎ口に衝撃が加わることを防止できる。
【００１３】
また、上記課題を解決するためになされた別の考案は、段ボール箱と、この段ボール箱の内部に収容した当該瓶梱包用緩衝体とを備える梱包資材セットである。
【００１４】
当該梱包資材セットは、当該瓶梱包用緩衝体が異なるサイズの瓶に対応できるので、異なるサイズの瓶を梱包するために利用できる。
【考案の効果】
【００１５】
本考案の瓶梱包用緩衝体は、瓶の胴部に嵌合する胴孔に調整突起を設けたので、異なる径の瓶を梱包するのに利用できる。
【図面の簡単な説明】
【００１６】
【図１】本考案の一実施形態の梱包資材セットの斜視図である。
【図２】瓶を梱包した図１の梱包資材セットの断面図である。
【図３】図１の瓶梱包用緩衝体の組み立て前の形態を示す平面図である。
【図４】図３の瓶梱包用緩衝体の使用時の形態を示す斜視図である。
【図５】図３の瓶梱包用緩衝体の瓶を梱包する過程及び瓶を梱包する他の態様を示す側面図である。
【考案を実施するための形態】
【００１７】
以下、適宜図面を参照しつつ、本考案の実施の形態を詳説する。
【００１８】
［梱包資材セット］
図１に示す梱包資材セットは、段ボール箱１と、この段ボール箱１の中に収容された瓶梱包用緩衝体２とを備える。当該梱包資材セットは、図２に示すように、異なるサイズの瓶３及び瓶４を梱包できる。
【００１９】
〔瓶〕
瓶３及び瓶４は、ジュースや酒類の流通用の容器として用いられるものである。これらの、瓶３及び瓶４は、それぞれ、有底円筒状の胴部３ａ，４ａと、胴部３ａ，４ａの上端から縮径して延伸し、上端の注ぎ口がキャップ３ｂ，４ｂで封止された頸部３ｃ，４ｃとを有している。
【００２０】
〔段ボール箱〕
段ボール箱１は、いわゆるＡ式の段ボール箱であり、１枚の段ボールシートから形成されており、互いに対向する一対の側壁１１と、この側壁１１の側縁を接続すると共に互いに対向する一対の端壁１２と、側壁１１の上下の端縁から延出する二対の外フラップ１３と、端壁１２の上下の端縁から延出する延出する二対の内フラップ１４とを備える。
【００２１】
〔瓶梱包用緩衝体〕
当該瓶梱包用緩衝体２は、一枚の段ボールシートから形成されており、図３に示すように平坦なシート状の形態でユーザに提供され、図４に示すように折り曲げることにより立体的な形状に組み立てた状態で段ボール箱１の内部に収容して使用される。なお、図において、太い実線は段ボールシートを切断した切断線を示し、細い実線は段ボールシートに型押しして弱化させ、折り曲げやすくした罫線（弱化線）を示す。
【００２２】
当該瓶梱包用緩衝体２は、平坦な状態で概略長方形状の２つの列保持部２１を有する。各列保持部２１は、組み立て状態において水平に配置される方形の底板２２、方形の中板２３及び方形の上板２４と、底板２２と中板２３とを接続する方形の第１接続板２５、中板２３と上板２４とを接続する方形の第２接続板２６、及び上板２４の第２接続板２６と反対側の側縁から延伸する方形の押さえ板２７とを備える。
【００２３】
この２つの列保持部２１は、第２接続板２６の隣接する端縁が互いに接続されているが、他の部分は互いに分離されている。この互いに隣接する第２接続板２６の境界の端縁には、断続的な切断線が形成されると共にそれらの切断線の間を接続する罫線が形成されている。これにより、２つの列保持部２１は、図２に示すように、互いに背中合わせに密着して配置され得る。
【００２４】
また、各列保持部２１において、底板２２と第１接続板２５との境界、第１接続板２５と中板２３との境界、中板２３と第２接続板２６との境界、第２接続板２６と上板２４との境界、及び上板２４と押さえ板２７との境界にも、それぞれ、断続的な切断線が形成されると共にそれらの切断線の間を接続する罫線が形成されている。これにより、各列保持部２１は、図２に示すような形状に容易に折り曲げられる。
【００２５】
底板２２、中板２３、上板２４、第１接続板２５、第２接続板２６及び押さえ板２７は、互いに接続された側縁方向の長さＬが段ボール箱１の側壁１１の長さと略等しい。また、底板２２、中板２３及び上板２４の端縁の幅Ｗは、段ボール箱１の端壁１２の幅の約１／２である。第１接続板２５の端縁の幅（組み立てた状態において高さ）Ｈ１、第２接続板２６の端縁の幅（高さ）Ｈ２及び押さえ板２７の端縁の幅（高さ）Ｈ３の合計長は、段ボール箱１の側壁１１及び端壁１２の高さと略等しい。
【００２６】
なお、当該瓶梱包用緩衝体２を形成する段ボールシートの中芯の稜線の方向は、底板２２、中板２３、上板２４、第１接続板２５、第２接続板２６及び押さえ板２７を横断する方向、つまり、第１接続板２５が底板２２と中板２３とを接続する方向、及び第２接続板２６が中板２３と上板２４とを接続する方向と等しい。
【００２７】
＜底板＞
当該瓶梱包用緩衝体２の底板２２は、その上に瓶３，４の底が載置される。つまり、底板２２は、当該梱包資材セットにより梱包した瓶３，４の底に外部から衝撃が加わらないようにする緩衝材となる。一般的に瓶の底は比較的堅固であるため、段ボール箱１の外フラップ及び内フラップに加えて当該瓶梱包用緩衝体２の底板２２があるだけで、これら瓶３，４の底部の破損が十分に防止される。
【００２８】
＜中板＞
中板２３は、幅Ｗ方向の中央に、長さＬ方向に並んで等間隔に形成された３つの胴孔２８と、これらの胴穴２８の周縁から内向きに突出した４つの調整突起２９とを有する。
【００２９】
（胴穴）
それぞれの胴穴２８は、概略円形に形成されており、瓶３，４の胴部３ａ，４ａを受け入れて、瓶３，４を段ボール箱１の側壁１１及び端壁１２から離間した状態に保持する。これにより、当該梱包資材セットは、段ボール箱１の外部側方から直接瓶３，４に衝撃が加わらないようにする。
【００３０】
胴穴２８の径は、梱包しようとする最も大径の瓶３の胴部３ａと略等しく、好ましくは僅かに大きい径を有する。これにより、胴穴２８は、大径の瓶３の胴部３ａに嵌合し、大径の瓶３をしっかりと保持する。
【００３１】
（調整突起）
調整突起２９は、それぞれ略半円状に形成され、好ましくは、胴孔２８の周方向に等間隔に配置されている。これらの調整突起２９の先端は、先端部が当接することで小径の瓶４を胴穴２８の中心に位置決めでき、かつ折り曲げられることで大径の瓶３の胴穴２８への挿入を許す。
【００３２】
これらの調整突起２９の間隔は、胴孔２８の中心を基準に１８０°未満の間隔で、好ましくは１２０°以下の間隔で、より好ましくは９０°以下の間隔で配置される。
【００３３】
また、各調整突起２９の幅（胴孔２８の周方向の長さ）の下限としては、５ｍｍが好ましく、８ｍｍがより好ましい。また、調整突起２９の幅の上限としては、２０ｍｍが好ましく１５ｍｍがより好ましい。調整突起２９は、幅がこの範囲であることにより、折れ曲がって大径の瓶３の胴孔２８への挿入を可能にすると共に、小径の瓶３を胴孔２８の中心にしっかりと保持できる適度な剛性を有する。
【００３４】
また、小径の瓶４を保持するために、調整突起２９の突出長さ（胴孔２８の径方向の長さ）は、胴孔２８の径方向の先端から胴孔２８の中心までの距離が、梱包しようとする最も小径の瓶４の半径と略等しくなるように定めるとよい。
【００３５】
＜上板＞
上板２４は、中板２３の胴孔２８に対応するように、幅Ｗ方向の中央に、長さＬ方向に並んで等間隔に形成され、瓶３，４の頸部３ｃ，４ｃに嵌合する３つの頸孔３０と、頸孔３０から第２接続板２６と反対側に伸びるよう形成された縦切り込み３１と、この縦切り込み３１の先端に交差し、縦切り込み３１と共に略Ｔ字型を構成するよう形成された横切り込み３２と、横切り込み３２の両端から頸孔３０に向かって、略接線状に伸びる罫線からなる２つの弱化線３３とを有する。これにより、上板２４は、頸孔３０、縦切り込み３１、横切り込み３２及び弱化線３３によって囲まれた２つの舌部３４が確定されている。また、上板２４は、幅Ｗを有する両側の端縁に半円状の切り欠き３５が形成されている。
【００３６】
当該瓶梱包用緩衝体２で瓶３を梱包する場合、先ず、中板２３の胴孔２８に瓶３の胴部３ａを挿入する。この時、中板２３は、胴孔２８が瓶３の胴部３ａに嵌合することにより、底板２２と略平行になる。次いで、上板２４の頸孔３０を瓶３の頸部３ｃに嵌合させる必要があるが、５に示すように、第２接続板２６の側縁を中心に回動させることしかできないので、瓶３のキャップ３ｂが頸孔３０よりも押さえ板２７側に当接する。ここで、舌部３４が図示するように跳ね上げられることで、一時的に頸孔３０を第２接続板２６と反対側に拡張し、瓶３のキャップ３ｂの通過を許す。
【００３７】
また、上板２４は、両端縁に切り欠き３５を有するので、開梱の際、この切り欠き３５に指をかけて上板２４を引き起こし、瓶３，４の頸部３ｃ，４ｃを容易に解放し、当該梱包資材セットから瓶３，４を容易に取り出せるようにできる。
【００３８】
＜第１接続板＞
第１接続板２５は、当該瓶梱包用緩衝体２を組み立てたときの中板２３の位置を定める。よって、第１接続板２５の幅Ｈ１は、瓶３，４の胴部３ａ，４ａの底部との面取り高さよりも大きくいよう定められる。瓶３，４は底側が重いので、中板２３が胴部３ａ，４ａの中央より下方を支持するようにした方がよい。具体的には、第１接続板２５の幅Ｈ１の下限としては１５ｍｍが好ましく２０ｍｍがより好ましい。一方、第１接続板２５の幅Ｈ１の上限としては８０ｍｍが好ましく５０ｍｍがより好ましい。
【００３９】
＜第２接続板＞
第２接続板２６は、中板２３と上板２４との間隔を定める。当該瓶梱包用緩衝体２において、第２接続板２６の幅Ｈ２は、底板２２、中板２３及び上板２４の幅Ｗと等しい。このため、当該瓶梱包用緩衝体２を組み立てた状態で、中板２３、上板２４及び第２接続板２６が形成する空間の断面は正方形になる。従って、図５に示すように、胴孔２８よりも大きな径を有する瓶５を、シート状の梱包材６で巻いて収容することもできる。また、中板２３と上板２４との間の空間には、グラス、酒器等、瓶以外の物品を収容してもよい。
【００４０】
＜押さえ板＞
押さえ板２７は、上板２４と反対側の側縁が段ボール箱１の内フラップ１４に当接することにより、上板２４の第２接続板２６と反対側の側縁を段ボール箱１の中に押し込んで、上板２４を段ボール箱１の内フラップ１４と略平行に保つ。これにより、上板２４の頸孔３０に嵌合している瓶３，４が上方に移動することを防止して、瓶３，４のキャップ３ｂ，４ｂ及び頸部３ｃ，４ｃの破損を防止する。
【００４１】
＜利点＞
上述のように、当該瓶梱包用緩衝体２は、大径の瓶３の胴部３ａに嵌合する径を有する胴孔２８に、径方向内向きに突出する複数の調整突起２９を設けたので、調整突起２９の先端に略内接する胴部４ａを有する瓶４を胴孔２８の中心に保持することもできる。これにより、当該瓶梱包用緩衝体２は、２つの異なるサイズの瓶３，４を梱包するのに利用できる。
【００４２】
また、当該瓶梱包用緩衝体２は、頸孔３０、縦切り込み３１、横切り込み３２及び弱化線３３により、頸孔３０の第２接続板２６と反対側に隣接する舌部３４が形成されている。このため、瓶３，４を梱包する際、第２接続板２６の上端を中心にして上板２４を搖動させたとき、舌部３４を折り上げて頸孔３０を一時的に搖動の外側に向かって拡張し、瓶３，４のキャップ３ｂ，４ｂが通過できるようにする。これにより、当該瓶梱包用緩衝体２は、第２接続板２６によって胴孔２８を有する中板２３と頸孔３０を有する上板２４とを接続した構成としたにもかかわらず瓶３，４の胴部３ａ，４ａ及び頸部３ｃ，４ｃの両方に隙間なく嵌合できる。したがって、当該瓶梱包用緩衝体２は、異なるサイズの瓶３，４を共にしっかりと保持して衝撃から保護できる。
【００４３】
当該梱包資材セットは、段ボール箱１と、当該瓶梱包用緩衝体２とを備えるので、異なるサイズの瓶３，４を梱包するために使用できる。
【００４４】
［その他の実施形態］
今回開示された実施の形態はすべての点で例示であって制限的なものではないと考えられるべきである。本考案の範囲は、上記実施形態の構成に限定されるものではなく、実用新案登録請求の範囲によって示され、実用新案登録請求の範囲と均等の意味及び範囲内での全ての変更が含まれることが意図される。
【００４５】
当該瓶梱包用緩衝体において、各列保持部が有する胴孔及び頸孔の数は、段ボールの大きさ及び梱包しようとする瓶の最本数に応じて適宜選択できる。つまり、１つの列保持部が１本又は２本の瓶を梱包するためのものであってもよく、４本以上の瓶を梱包できるものであってもよい。
【００４６】
また、当該瓶梱包用緩衝体は、１つの列保持部のみを有してもよく、３以上の列保持部を有してもよい。隣接する列保持部は、第２接続板の端縁ではなく、第１接続板及び押さえ板の少なくともいずれかの端縁で接続されてもよい。
【００４７】
さらに、当該瓶梱包用緩衝体の胴孔が有する調整突起の数は、３つ以上であれば小径の瓶４を位置決め可能である。また、当該瓶梱包用緩衝体の胴孔は、突出長さの異なる複数組の調整突起を有してもよい。例えば、突出長さが小さい３つの調整突起と突出長さが大きい３つの調整突起とを３０°間隔で交互に配置してもよい。このようにすれば、胴孔に嵌合する大径の瓶と、突出長さが大きい３つの調整突起の先端に略接する小径の瓶と、突出長さが小さい３つの調整突起の先端に略接する径を有する中間径の瓶とを、それぞれ胴孔の中心に保持することが可能である。このように、調整突起の大きさ、数及び配置は、任意に変更できる。
【産業上の利用可能性】
【００４８】
当瓶梱包用緩衝体及び当該瓶梱包用緩衝体を有する梱包資材セットは、特に顧客の注文に応じて商品の組み合わせを選択して宅配便で発送するために好適に用いられる。
【符号の説明】
【００４９】
１  段ボール箱
２  瓶梱包用緩衝体
３、４、５  瓶
３ａ、４ａ  胴部
３ｂ、４ｂ  キャップ
３ｃ，４ｃ  頸部
６  梱包材
１１  側壁
１２  端壁
１３  外フラップ
１４  内フラップ
２１  列保持部
２２  底板
２３  中板
２４  上板
２５  第１接続板
２６  第２接続板
２７  押さえ板
２８  胴孔
２９  調整突起
３０  頸孔
３１  縦切り込み
３２  横切り込み
３３  弱化線
３４  舌部
３５  切り欠き
【図１】
0003187833.tif 000003
【図２】
0003187833.tif 000004
【図３】
0003187833.tif 000005
【図４】
0003187833.tif 000006
【図５】
0003187833.tif 000007